【手続補正書】
【提出日】平成24年4月23日(2012.4.23)
【手続補正１】
【補正対象書類名】明細書
【補正対象項目名】発明の名称
【補正方法】変更
【補正の内容】
【発明の名称】配線シート付き太陽電池セルの製造方法および太陽電池モジュールの製造方法
【手続補正２】
【補正対象書類名】明細書
【補正対象項目名】０００１
【補正方法】変更
【補正の内容】
【０００１】
本発明は、配線シート付き太陽電池セルの製造方法および太陽電池モジュールの製造方法に関する。
【手続補正３】
【補正対象書類名】明細書
【補正対象項目名】００１２
【補正方法】変更
【補正の内容】
【００１２】
上記の事情に鑑みて、本発明の目的は、生産性に優れ、太陽電池セルと配線シートとの機械的な接続の安定性を向上することができるとともに、太陽電池セルの電極と配線シートの配線との電気的な接続の安定性を向上することができる配線シート付き太陽電池セルの製造方法および太陽電池モジュールの製造方法を提供することにある。
【手続補正４】
【補正対象書類名】明細書
【補正対象項目名】００１３
【補正方法】変更
【補正の内容】
【００１３】
本発明は、基板と基板の少なくとも一方の表面に設けられた電極とを含む太陽電池セルと、絶縁性基材と絶縁性基材の少なくとも一方の表面に設けられた配線とを含む配線シートと、電極と配線との間に配置されて電極と配線とを電気的に接続する導電性物質と、太陽電池セルと配線シートとの間に配置されて太陽電池セルと配線シートとを機械的に接続する固定樹脂とを含む配線シート付き太陽電池セルを製造するための方法であって、太陽電池セルの電極間および配線シートの配線間の少なくとも一方に設置された固定樹脂を硬化して第１の硬化状態とする工程と、太陽電池セルの電極上および配線シートの配線上の少なくとも一方に導電性物質を設置する工程と、太陽電池セルの電極が配線シートの配線と対向するように太陽電池セルと配線シートとを重ね合わせる工程と、第１の硬化状態の固定樹脂を軟化する工程と、導電性物質を溶融する工程と、軟化した固定樹脂を硬化して固定樹脂を第２の硬化状態とする工程と、を含み、固定樹脂を軟化する工程と、導電性物質を溶融する工程と、固定樹脂を第２の硬化状態とする工程とは、同じ加熱工程で行なわれる配線シート付き太陽電池セルの製造方法である。また、本発明は、基板と基板の少なくとも一方の表面に設けられた電極とを含む太陽電池セルと、絶縁性基材と絶縁性基材の少なくとも一方の表面に設けられた配線とを含む配線シートと、電極と配線との間に配置されて電極と配線とを電気的に接続する導電性物質と、太陽電池セルと配線シートとの間に配置されて太陽電池セルと配線シートとを機械的に接続する固定樹脂と、を含む配線シート付き太陽電池セルを製造するための方法であって、太陽電池セルの電極間および配線シートの配線間の少なくとも一方に設置された固定樹脂を硬化して第１の硬化状態とする工程と、太陽電池セルの電極上および配線シートの配線上の少なくとも一方に導電性物質を設置する工程と、太陽電池セルの電極が配線シートの配線と対向するように太陽電池セルと配線シートとを重ね合わせる工程と、第１の硬化状態の固定樹脂を軟化する工程と、導電性物質を溶融する工程と、軟化した固定樹脂を硬化して固定樹脂を第２の硬化状態とする工程と、を含み、固定樹脂を軟化する工程と、導電性物質を溶融する工程と、固定樹脂を第２の硬化状態とする工程とは、同じ装置で一括的に加熱して行なわれる配線シート付き太陽電池セルの製造方法である。ここで、本発明の配線シート付き太陽電池セルの製造方法においては、第１の硬化状態の固定樹脂を軟化する温度は、軟化した固定樹脂を硬化して第２の硬化状態とする温度よりも低いことが好ましい。
【手続補正５】
【補正対象書類名】明細書
【補正対象項目名】００１４
【補正方法】変更
【補正の内容】
【００１４】
ここで、本発明の配線シート付き太陽電池セルの製造方法においては、第１の硬化状態は、常温における未硬化状態と比べて粘度が高く、固定樹脂の表面に太陽電池セルまたは配線シートを接触させても太陽電池セルおよび配線シートに固定樹脂が付着しない程度の接着性を有する状態であることが好ましい。
【手続補正６】
【補正対象書類名】明細書
【補正対象項目名】００１５
【補正方法】変更
【補正の内容】
【００１５】
ここで、本発明の配線シート付き太陽電池セルの製造方法においては、第２の硬化状態は、第１の硬化状態の固定樹脂の粘度が一旦低下した後に再度上昇することによって接着可能となる状態であることが好ましい。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
また、本発明は、基板と基板の少なくとも一方の表面に設けられた電極とを含む太陽電池セルと、絶縁性基材と絶縁性基材の少なくとも一方の表面に設けられた配線とを含む配線シートと、電極と配線との間に配置されて電極と配線とを電気的に接続する導電性物質と、太陽電池セルと配線シートとの間に配置されて太陽電池セルと配線シートとを機械的に接続する固定樹脂とを含む配線シート付き太陽電池セルが封止材中に封止された太陽電池モジュールを製造するための方法であって、太陽電池セルの電極間および配線シートの配線間の少なくとも一方に設置された固定樹脂を硬化して第１の硬化状態とする工程と、太陽電池セルの電極上および配線シートの配線上の少なくとも一方に導電性物質を設置する工程と、太陽電池セルの電極が配線シートの配線と対向するように太陽電池セルと配線シートとを重ね合わせる工程と、第１の硬化状態の固定樹脂を軟化する工程と、導電性物質を溶融する工程と、軟化した固定樹脂を硬化して固定樹脂を第２の硬化状態とする工程と、重ね合わせた太陽電池セルと配線シートとを加熱することで封止材中に封止する工程と、を含み、封止材中に封止する工程の加熱と、第１の硬化状態の固定樹脂を軟化する工程と、導電性物質を溶融する工程と、固定樹脂を硬化して固定樹脂を第２の硬化状態とする工程とは、同じ加熱工程で行なわれる、太陽電池モジュールの製造方法である。
【手続補正１１】
【補正対象書類名】明細書
【補正対象項目名】００２２
【補正方法】変更
【補正の内容】
【００２２】
また、本発明は、基板と基板の少なくとも一方の表面に設けられた電極とを含む太陽電池セルと、絶縁性基材と絶縁性基材の少なくとも一方の表面に設けられた配線とを含む配線シートと、電極と配線との間に配置されて電極と配線とを電気的に接続する導電性物質と、太陽電池セルと配線シートとの間に配置されて太陽電池セルと配線シートとを機械的に接続する固定樹脂と、を含む配線シート付き太陽電池セルが封止材中に封止された太陽電池モジュールを製造するための方法であって、太陽電池セルの電極間および配線シートの配線間の少なくとも一方に設置された固定樹脂を硬化して第１の硬化状態とする工程と、太陽電池セルの電極上および配線シートの配線上の少なくとも一方に導電性物質を設置する工程と、太陽電池セルの電極が配線シートの配線と対向するように太陽電池セルと配線シートとを重ね合わせる工程と、第１の硬化状態の固定樹脂を軟化する工程と、導電性物質を溶融する工程と、軟化した固定樹脂を硬化して固定樹脂を第２の硬化状態とする工程と、重ね合わせた太陽電池セルと配線シートとを加熱することで封止材中に封止する工程と、を含み、封止材中に封止する工程と、第１の硬化状態の固定樹脂を軟化する工程と、導電性物質を溶融する工程と、軟化した固定樹脂を硬化して固定樹脂を第２の硬化状態とする工程とは、同じ装置で一括的に行なわれる太陽電池モジュールの製造方法である。
【手続補正１２】
【補正対象書類名】明細書
【補正対象項目名】００２３
【補正方法】変更
【補正の内容】
【００２３】
また、本発明の太陽電池モジュールの製造方法において、第１の硬化状態の固定樹脂を軟化する温度は、軟化した固定樹脂を硬化して第２の硬化状態とする温度よりも低いことが好ましい。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
本発明によれば、生産性に優れ、太陽電池セルと配線シートとの機械的な接続の安定性を向上することができるとともに、太陽電池セルの電極と配線シートの配線との電気的な接続の安定性を向上することができる配線シート付き太陽電池セルの製造方法および太陽電池モジュールの製造方法を提供することができる。
【手続補正１５】
【補正対象書類名】明細書
【補正対象項目名】０１４８
【補正方法】変更
【補正の内容】
【０１４８】
本発明は、配線シート付き太陽電池セルの製造方法および太陽電池モジュールの製造方法に好適に利用することができる。
【手続補正１６】
【補正対象書類名】特許請求の範囲
【補正対象項目名】全文
【補正方法】変更
【補正の内容】
【特許請求の範囲】
【請求項１】
基板と前記基板の少なくとも一方の表面に設けられた電極とを含む太陽電池セルと、
絶縁性基材と前記絶縁性基材の少なくとも一方の表面に設けられた配線とを含む配線シートと、
前記電極と前記配線との間に配置されて前記電極と前記配線とを電気的に接続する導電性物質と、
前記太陽電池セルと前記配線シートとの間に配置されて前記太陽電池セルと前記配線シートとを機械的に接続する固定樹脂と、を含む配線シート付き太陽電池セルを製造するための方法であって、
前記太陽電池セルの前記電極間および前記配線シートの前記配線間の少なくとも一方に設置された前記固定樹脂を硬化して第１の硬化状態とする工程と、
前記太陽電池セルの前記電極上および前記配線シートの前記配線上の少なくとも一方に前記導電性物質を設置する工程と、
前記太陽電池セルの前記電極が前記配線シートの前記配線と対向するように前記太陽電池セルと前記配線シートとを重ね合わせる工程と、
前記第１の硬化状態の前記固定樹脂を軟化する工程と、
前記導電性物質を溶融する工程と、
前記軟化した前記固定樹脂を硬化して前記固定樹脂を第２の硬化状態とする工程と、を含み、
前記固定樹脂を軟化する工程と、前記導電性物質を溶融する工程と、前記固定樹脂を第２の硬化状態とする工程とは、同じ加熱工程で行なわれる、配線シート付き太陽電池セルの製造方法。
【請求項２】
基板と前記基板の少なくとも一方の表面に設けられた電極とを含む太陽電池セルと、
絶縁性基材と前記絶縁性基材の少なくとも一方の表面に設けられた配線とを含む配線シートと、
前記電極と前記配線との間に配置されて前記電極と前記配線とを電気的に接続する導電性物質と、
前記太陽電池セルと前記配線シートとの間に配置されて前記太陽電池セルと前記配線シートとを機械的に接続する固定樹脂と、を含む配線シート付き太陽電池セルを製造するための方法であって、
前記太陽電池セルの前記電極間および前記配線シートの前記配線間の少なくとも一方に設置された前記固定樹脂を硬化して第１の硬化状態とする工程と、
前記太陽電池セルの前記電極上および前記配線シートの前記配線上の少なくとも一方に前記導電性物質を設置する工程と、
前記太陽電池セルの前記電極が前記配線シートの前記配線と対向するように前記太陽電池セルと前記配線シートとを重ね合わせる工程と、
前記第１の硬化状態の前記固定樹脂を軟化する工程と、
前記導電性物質を溶融する工程と、
前記軟化した前記固定樹脂を硬化して前記固定樹脂を第２の硬化状態とする工程と、を含み、
前記固定樹脂を軟化する工程と、前記導電性物質を溶融する工程と、前記固定樹脂を第２の硬化状態とする工程とは、同じ装置で一括的に加熱して行なわれる、配線シート付き太陽電池セルの製造方法。
【請求項３】
前記第１の硬化状態の前記固定樹脂を軟化する温度は、前記軟化した前記固定樹脂を硬化して前記第２の硬化状態とする温度よりも低い、請求項１または２に記載の配線シート付き太陽電池セルの製造方法。
【請求項４】
前記第１の硬化状態は、常温における未硬化状態と比べて粘度が高く、前記固定樹脂の表面に前記太陽電池セルまたは前記配線シートを接触させても前記太陽電池セルおよび前記配線シートに前記固定樹脂が付着しない程度の接着性を有する状態である、請求項１から３のいずれかに記載の配線シート付き太陽電池セルの製造方法。
【請求項５】
前記第２の硬化状態は、前記第１の硬化状態の前記固定樹脂の粘度が一旦低下した後に再度上昇することによって接着可能となる状態である、請求項１から４のいずれかに記載の配線シート付き太陽電池セルの製造方法。
【請求項６】
前記導電性物質が溶融する温度は、前記第１の硬化状態の前記固定樹脂が軟化する温度よりも高い、請求項１から５のいずれかに記載の配線シート付き太陽電池セルの製造方法。
【請求項７】
前記第２の硬化状態の前記固定樹脂は白色である、請求項１から６のいずれかに記載の配線シート付き太陽電池セルの製造方法。
【請求項８】
基板と前記基板の少なくとも一方の表面に設けられた電極とを含む太陽電池セルと、
絶縁性基材と前記絶縁性基材の少なくとも一方の表面に設けられた配線とを含む配線シートと、
前記電極と前記配線との間に配置されて前記電極と前記配線とを電気的に接続する導電性物質と、
前記太陽電池セルと前記配線シートとの間に配置されて前記太陽電池セルと前記配線シートとを機械的に接続する固定樹脂と、を含む配線シート付き太陽電池セルが封止材中に封止された太陽電池モジュールを製造するための方法であって、
前記太陽電池セルの前記電極間および前記配線シートの前記配線間の少なくとも一方に設置された前記固定樹脂を硬化して第１の硬化状態とする工程と、
前記太陽電池セルの前記電極上および前記配線シートの前記配線上の少なくとも一方に前記導電性物質を設置する工程と、
前記太陽電池セルの前記電極が前記配線シートの前記配線と対向するように前記太陽電池セルと前記配線シートとを重ね合わせる工程と、
前記第１の硬化状態の前記固定樹脂を軟化する工程と、
前記導電性物質を溶融する工程と、
前記軟化した前記固定樹脂を硬化して前記固定樹脂を第２の硬化状態とする工程と、
重ね合わせた前記太陽電池セルと前記配線シートとを加熱することで封止材中に封止する工程と、を含み、
前記封止材中に封止する工程の加熱と、前記第１の硬化状態の前記固定樹脂を軟化する工程と、前記導電性物質を溶融する工程と、前記軟化した前記固定樹脂を硬化して前記固定樹脂を第２の硬化状態とする工程とは、同じ加熱工程で行なわれる、太陽電池モジュールの製造方法。
【請求項９】
基板と前記基板の少なくとも一方の表面に設けられた電極とを含む太陽電池セルと、
絶縁性基材と前記絶縁性基材の少なくとも一方の表面に設けられた配線とを含む配線シートと、
前記電極と前記配線との間に配置されて前記電極と前記配線とを電気的に接続する導電性物質と、
前記太陽電池セルと前記配線シートとの間に配置されて前記太陽電池セルと前記配線シートとを機械的に接続する固定樹脂と、を含む配線シート付き太陽電池セルが封止材中に封止された太陽電池モジュールを製造するための方法であって、
前記太陽電池セルの前記電極間および前記配線シートの前記配線間の少なくとも一方に設置された前記固定樹脂を硬化して第１の硬化状態とする工程と、
前記太陽電池セルの前記電極上および前記配線シートの前記配線上の少なくとも一方に前記導電性物質を設置する工程と、
前記太陽電池セルの前記電極が前記配線シートの前記配線と対向するように前記太陽電池セルと前記配線シートとを重ね合わせる工程と、
前記第１の硬化状態の前記固定樹脂を軟化する工程と、
前記導電性物質を溶融する工程と、
前記軟化した前記固定樹脂を硬化して前記固定樹脂を第２の硬化状態とする工程と、
重ね合わせた前記太陽電池セルと前記配線シートとを加熱することで封止材中に封止する工程と、を含み、
前記封止材中に封止する工程と、前記第１の硬化状態の前記固定樹脂を軟化する工程と、前記導電性物質を溶融する工程と、前記軟化した前記固定樹脂を硬化して前記固定樹脂を第２の硬化状態とする工程とは、同じ装置で一括的に行なわれる、太陽電池モジュールの製造方法。
【請求項１０】
前記第１の硬化状態の前記固定樹脂を軟化する温度は、前記軟化した前記固定樹脂を硬化して前記第２の硬化状態とする温度よりも低い、請求項８または９に記載の太陽電池モジュールの製造方法。